(57)【要約】【課題】ＭＤプレーヤー等の音源機器を用いて、その音楽信号等を着信音として携帯電話機等に記憶するための録音ケーブルを提供すること。【解決手段】ヘッドホン出力端子５０を有する出力側装置５１のヘッドホン出力端子５０に接続される第１の接続端子２と、イヤホン／マイク端子５４を有し、該イヤホン／マイク端子５４から入力された音声信号を記憶するとともに該記憶した音声信号を再生可能な入力側装置５３の該イヤホン／マイク端子５４に接続される第２の接続端子４と、前記第１の接続端子２と前記第２の接続端子４を接続するケーブル１０と、前記出力装置５１のヘッドホン出力端子５０から出力された音声信号及び／又は前記入力側装置５３のイヤホン／マイク端子５４から出力された音声信号を聴取する聴取手段３とを有する。【選択図】  図１
2005116133.tif 000002
【特許請求の範囲】
【請求項１】
ヘッドホン出力端子５０を有する出力側装置５１の該ヘッドホン端子５０に直接又は間接的に接続される第１の接続端子２と、
イヤホン／マイク端子５４を有し、該イヤホン／マイク端子５４から入力された音声信号を記憶するとともに該記憶した音声信号を再生可能な入力側装置５３の該イヤホン／マイク端子５４に直接又は間接的に接続される第２の接続端子４と、
前記第１の接続端子２と前記第２の接続端子４を接続するケーブル１０と、
前記出力側装置５１のヘッドホン出力端子５０から出力された音声信号及び／又は前記入力側装置５３のイヤホン／マイク端子５４から出力された音声信号を聴取する聴取手段３と、を有することを特徴とする録音用ケーブル。
【請求項２】
イヤホン出力端子５０´を有する出力側装置５１の該イヤホン端子５０´に直接又は間接的に接続される第１の接続端子８と、
イヤホン／マイク端子５４を有し、該イヤホン／マイク端子５４から入力された音声信号を記憶するとともに該記憶した音声信号を再生可能な入力側装置５３の該イヤホン／マイク端子５４に直接又は間接的に接続される第２の接続端子４と、
前記第１の接続端子８と前記第２の接続端子４を接続するケーブル１０と、
前記出力側装置５１のイヤホン出力端子５０´から出力された音声信号及び／又は前記入力側装置５３のイヤホン／マイク端子５４から出力された音声信号を聴取する聴取手段３と、を有することを特徴とする録音用ケーブル。
【請求項３】
ヘッドホン出力端子５０を有する出力側装置５１の該ヘッドホン端子５０、又は、イヤホン出力端子５０´を有する出力側装置５１の該ヘッドホン端子５０、又は、イヤホン端子５０に直接又は間接的に接続される第１の接続端子２と、
イヤホン／マイク端子５４を有し、該イヤホン／マイク端子５４から入力された音声信号を記憶するとともに該記憶した音声信号を再生可能な入力側装置５３の該イヤホン／マイク端子５４に直接又は間接的に接続される第２の接続端子４と、
前記第１の接続端子２と前記第２の接続端子４を接続するケーブル１０と、
前記第１の接続端子２と前記第２の接続端子４との間に設けられたステレオ／モノラル切り換えスイッチ２０と、
前記出力側装置５１のヘッドホン出力端子５０、又は、イヤホン出力端子５０´から出力された音声信号及び／又は前記入力側装置５３のイヤホン／マイク端子５４から出力された音声信号を聴取する聴取手段３と、を有することを特徴とする録音用ケーブル。
【請求項４】
前記聴取手段３は、前記第１の接続端子２、第２の接続端子４（８）又はケーブル１０のいずれかに設けられている請求項１ないし３のいずれかに記載の録音用ケーブル。
【請求項５】
前記聴取手段３は、第３の接続端子３を含み、該第３の接続端子３に、該接続端子３から出力される音声信号を聴取する聴取装置５２が接続されるようになっている請求項１ないし４のいずれかに記載の録音用ケーブル。
【請求項６】
前記聴取装置５２は、ヘッドホンまたはスピーカーである請求項５に記載の録音用ケーブル。
【請求項７】
前記第１及び／又は第２の接続端子２及び／又は４は、前記出力側装置５１の音声信号出力端子５０及び／又は前記入力側装置５３のイヤホン／マイク端子５４の形状と合わない場合には、アダプタを介して接続される請求項１ないし６のいずれかに記載の録音用ケーブル。
【請求項８】
前記入力側装置５３は、ボイスメモ録音機能と録音した音を着信音に設定する機能を有する携帯電話機である請求項１ないし７のいずれかに記載の録音用ケーブル。
【請求項９】
前記出力側装置５１は、携帯電話であり、該携帯電話に記録された音声信号を前記入力側装置５３としての携帯電話に録音可能な請求項２に記載の録音用ケーブル。
【請求項１０】
前記出力側装置は、ＭＤプレーヤー、ＣＤプレーヤー、ラジオカセット、ビデオデッキ、テレビ、ラジオなどの、ヘッドホン出力端子から音声信号の出力が可能な機器である請求項１ないし８のいずれかに記載の録音用ケーブル。
【請求項１１】
前記第１の接続端子２は、Ｌチャンネル信号出力端子２１、Ｒチャンネル信号出力端子２３及びアース端子２２の３つの端子群から構成され、当該Ｌチャンネル信号出力端子２１及びＲチャンネル信号出力端子２３からの音声信号を合成してモノラル信号とし、前記第２の接続端子４のマイク音声信号入力端子４１に供給されるようになっている請求項１又は３のいずれかに記載の録音用ケーブル。
【請求項１２】
前記第１の接続端子２は、Ｌチャンネル信号出力端子２１、Ｒチャンネル信号出力端子２３及びアース端子２２の３つの端子群から構成されており、また前記第３の出力端子３はＬチャンネル信号出力端子３１、Ｒチャンネル信号出力端子３３及びアース端子３２の３つの端子群から構成されたステレオ信号出力端子であり、前記第１の接続端子２のＬチャンネル信号出力端子２１及びＲチャンネル信号出力端子２３からの音声信号を合成してモノラル信号とし、当該モノラル信号が前記第３の接続端子３の一方のチャンネル信号出力３１へ供給されるようになっており、
前記第２の接続端子４は、マイク音声信号入力端子４１、イヤホンモノラル音声信号出力端子４３、アースの端子４２の３つの端子群から構成され、当該イヤホンモノラル音声信号出力端子からの音声信号が前記第３の接続端子３のステレオ信号出力端子の他のチャンネル信号出力端子へ供給されるようになっている請求項５に記載の録音用ケーブル。
【請求項１３】
前記第１の接続端子２の前記Ｌチャンネル信号出力端子２１からの経路１１及び前記Ｒチャンネル信号出力端子２３からの経路１３には、逆電流防止用のダイオード１５，１６がそれぞれ設けられている請求項１２又は１３に記載の録音用ケーブル。
【請求項１４】
前記第１の接続端子２の前記Ｌチャンネル信号出力端子２１及びＲチャンネル信号出力端子２３と、前記第２の接続端子４のマイク音声信号入力端子４１との間に、インピーダンスマッチング抵抗１８が設けられている請求項１２又は１３に記載の録音用ケーブル。
【請求項１５】
ヘッドホン出力端子５０を有する出力側装置５１の該ヘッドホン端子５０に接続される第１の接続端子２と、イヤホン／マイク端子５４を有し、該イヤホン／マイク端子５４から入力された音声信号を記憶するとともに該記憶した音声信号を再生可能な携帯電話機５３の該イヤホン／マイク端子５４に接続される第２の接続端子４と、前記第１の接続端子２と前記第２の接続端子４を接続するケーブルと１０、前記出力装置５１のヘッドホン出力端子５０から出力された音声信号及び／又は前記携帯電話機５３のイヤホン／マイク端子５４から出力された音声信号を聴取する聴取装置５２を接続可能な第３の接続端子とを有する録音用ケーブルを前記出力装置５１、前記携帯電話機５３、及び前記聴取装置５２にそれぞれ接続するステップと、
前記出力側装置５１からの音声信号を前記聴取装置５２からモニターしながら前記携帯電話機５３への音声信号の記憶開始及び記憶停止を操作するステップとを備えた携帯電話機の着信音の録音方法。
【発明の詳細な説明】
【技術分野】
【０００１】
本発明は、携帯電話等のイヤホン／マイク端子とテレビやＭＤプレーヤー等の音声信号出力端子とを接続する録音用ケーブルに関し、さらに詳しくは、テレビやＭＤプレーヤー等から、任意の音声信号を携帯電話の着信音（着メロ）として当該携帯電話に記憶するための録音用ケーブルに関する。
【背景技術】
【０００２】
従来、「着メロ」と呼ばれている携帯電話機の着信音は、予めインターネット等を介して携帯電話機にダウンロードし、着信があった際には、これを携帯電話機のスピーカーで再生していた。この着信音は、デジタル信号として携帯電話機内のメモリに記憶され、着信があった際には、Ｄ／Ａ変換等がなされた後、低周波増幅回路から内臓スピーカーに出力される。
【０００３】
そのほか、携帯電話等の着信音としては、ユーザーが携帯電話機の内臓マイク（電話通話用マイク）や携帯電話機のイヤホン／マイク端子に接続された外部マイクを利用して、携帯電話機にアナログ信号である音声信号（音楽信号）を直接記憶させる方法がある。この方法は、いわゆるボイスメモ録音機能と録音した音を着信音に設定する機能を意味する。この場合、マイク端子からのアナログ信号は、Ａ／Ｄ変換等がなされた後、携帯電話機内のメモリに記憶され、着信があった際には、Ｄ／Ａ変換等がなされた後、低周波増幅回路からスピーカーに出力される。
【０００４】
なお、携帯電話機のイヤホン／マイク端子を利用して、携帯電話と外部装置とのデータ送信方法に関しては、特開平８−４６６７７号、発明の名称「イヤホンマイク端子を利用した移動用通信機・端末装置間データ送信方式」が存在する。この発明は、自動車電話等の移動通信機のイヤホンマイク端子にパソコン等の端末装置を接続し、端末装置から電話番号情報を移動通信機に送り、移動通信機の短縮メモリ書込みを行ったり、端末装置から発信を行ってデータ通信を行ったりするイヤホンマイク端子を利用した移動通信機・端末装置間データ送信方式に関するものである。
【０００５】
上記の特開平８−４６６７７号は、携帯電話機等の着信音に関するものでなく、また、その技術的課題や構成が全く異なることから、出願人は、この発明が本発明の先行技術には該当しないと考える。
【発明の開示】
【発明が解決しようとする課題】
【０００６】
上述した着メロを、インターネットを介してダウンロードする方式では、予め専用サイトが用意した曲しか登録できず、オリジナリティーに限界があり、すべてのユーザーの要望を満足させるものではなかった。たとえば、テレビのコマーシャルや最新映画のテーマソングなどを着メロとして登録して使用することはできなかった。また、このようにダウンロードする場合には、パケット料金がかかり、中学生や高校生には、金銭面での負担を課すものであった。
【０００７】
また、携帯電話が上述したボイスメモ録音機能を有する場合には、ユーザーがＭＤプレーヤー等の音源機器を用いて、その再生音等を着メロとして携帯電話機等に記憶させることもできるが、その場合には、音源機器の音声信号をスピーカーによって再生し、上記の内臓マイクや外部マイクを使用して携帯電話機に記憶させなければならない。しかし、この場合、スピーカーとマイクを使用するため、周囲の雑音等が混入し、音楽信号等が著しく劣化するという問題点があった。
【０００８】
そこで、ＭＤプレーヤー等のヘッドホン出力端子と携帯電話機のイヤホン／マイク端子とを、接続コードを用いて接続し、ＭＤプレーヤー等のアナログ信号を携帯電話機へ直接入力する方法が考えられる。しかし、この方法には様々な問題点がある。
【０００９】
第１の問題点として、ＭＤプレーヤー等のヘッドホン出力端子に接続コードの端子を挿入すると、もはやヘッドホンを接続することができなくなり、ＭＤプレーヤー等の再生音を聴くことができなくなる。このため、ユーザーは、ＭＤ等に記憶されているメロディー等の内、希望する部分のみを再生して携帯電話機等に録音（記憶）させようとしても、そのメロディー等の開始のタイミングと終了のタイミングを決定し、操作することができない。特に、携帯電話の着メロの再生時間は著作権との関係で短時間に限られており、その時間内に自分の気に入った音楽などを正確なタイミングで録音することは非常に難しい。
【００１０】
第２の問題点として、ＭＤプレーヤー等のヘッドホン出力端子は、Ｌチャンネル信号出力、Ｒチャンネル信号出力、アースの３つの端子群から構成されたステレオ音声出力端子であり、一方、携帯電話機等のイヤホン／マイク端子は、マイク音声信号入力、イヤホンモノラル音声信号出力、アースの３つの端子群から構成されている。このため、構成の異なる両端子を接続ケーブルで単純に接続することは不可能である。
【００１１】
このため、ＭＤプレーヤー等のヘッドホン出力端子と携帯電話機等のイヤホン／マイク端子とを接続する方法では、ＭＤプレーヤー等のアナログ信号を携帯電話機等へ直接入力することができないという問題点があった。
【００１２】
本発明は、これらの問題点を解決するためになされたものであり、任意の好みの音楽などを「着メロ」として正確かつ適切に録音できる録音用ケーブルを提供することを目的とする。
【課題を解決するための手段】
【００１３】
上記目的を達成するため、本発明の録音用ケーブルは、ヘッドホン出力端子５０を有する出力側装置５１の該ヘッドホン端子５０に直接又は間接的に接続される第１の接続端子２と、
イヤホン／マイク端子５４を有し、該イヤホン／マイク端子５４から入力された音声信号を記憶するとともに該記憶した音声信号を再生可能な入力側装置５３の該イヤホン／マイク端子５４に直接又は間接的に接続される第２の接続端子４と、
前記第１の接続端子２と前記第２の接続端子４を接続するケーブル１０と、
前記出力側装置５１のヘッドホン出力端子５０から出力された音声信号及び／又は前記入力側装置５３のイヤホン／マイク端子５４から出力された音声信号を聴取する聴取手段３と、を有することを特徴とする
本発明によれば、聴取手段から録音する音声信号のモニターが可能となるため、入力側装置への音声信号の録音レベルを調整したり、録音開始及び録音停止の適正なタイミングを決定することが可能となる。
【００１４】
また、本発明の録音用ケーブルは、イヤホン出力端子５０を有する出力側装置５１の該イヤホン端子５０に直接又は間接的に接続される第１の接続端子と、
イヤホン／マイク端子５４を有し、該イヤホン／マイク端子５４から入力された音声信号を記憶するとともに該記憶した音声信号を再生可能な入力側装置５３の該イヤホン／マイク端子５４に直接又は間接的に接続される第２の接続端子８と、
前記第１の接続端子２と前記第２の接続端子８を接続するケーブル１０と、
前記出力側装置５１のイヤホン出力端子５０´から出力された音声信号及び／又は前記入力側装置５３のイヤホン／マイク端子５４から出力された音声信号を聴取する聴取手段３と、を有することを特徴とする。
【００１５】
この構成によると、出力側装置がイヤホン出力である場合でも、入力側装置への音声信号の録音レベルを調整したり、録音開始及び録音停止の適正なタイミングを決定することが可能となる。
【００１６】
さらに、本発明の録音用ケーブルは、ヘッドホン出力端子５０を有する出力側装置５１の該ヘッドホン端子５０、又は、イヤホン出力端子５０´を有する出力側装置５１の該ヘッドホン端子５０、又はイヤホン端子５０´に直接又は間接的に接続される第１の接続端子２と、
イヤホン／マイク端子５４を有し、該イヤホン／マイク端子５４から入力された音声信号を記憶するとともに該記憶した音声信号を再生可能な入力側装置５３の該イヤホン／マイク端子５４に直接又は間接的に接続される第２の接続端子４と、
前記第１の接続端子２と前記第２の接続端子４を接続するケーブル１０と、
前記第１の接続端子２と前記第２の接続端子４との間に設けられたステレオ／モノラル切り換えスイッチ２０と、
前記出力側装置５１のヘッドホン出力端子５０、又は、イヤホン出力端子５０´から出力された音声信号及び／又は前記入力側装置５３のイヤホン／マイク端子５４から出力された音声信号を聴取する聴取手段３と、を有することを特徴とする。
【００１７】
この構成によると、出力側装置がヘッドホン出力である場合でも、イヤホン出力である場合でも、ステレオ／モノラル切り換えスイッチで切り換えることにより、単一の録音ケーブルで対応することができる。
【００１８】
以上の本発明では、前記入力側装置をボイスメモ録音機能と録音した音を着信音に設定する機能を有する携帯電話機とすることが好ましい。これにより、任意の好みの音楽などを着メロとして用意に録音することができる。
【００１９】
また、前記聴取手段は、第３の接続端子３を含み、該第３の接続端子３に、該接続端子３から出力される音声信号を聴取する聴取装置５２が接続されるようになっていることが好ましい。この場合、前記聴取装置５２は、ヘッドホンまたはスピーカーであることが好ましい。
【００２０】
また、本発明の録音用ケーブルは、前記第１の接続端子２をＬチャンネル信号出力端子２１、Ｒチャンネル信号出力端子２３及びアース端子２２の３つの端子群から構成し、当該Ｌチャンネル信号出力端子２１及びＲチャンネル信号出力端子２３からの音声信号を合成してモノラル信号とし、前記第２の接続端子４のマイク音声信号入力端子４１に供給するように構成することが好ましい。
【００２１】
このように構成することにより、ヘッドホン端子からのステレオ信号をモノラル信号に合成することが可能となり、左右のステレオ信号に含まれるの全ての音を録音することが可能となる。
【００２２】
また、本発明の録音用ケーブルは、前記第１の接続端子２をＬチャンネル信号出力端子２１、Ｒチャンネル信号出力端子２３及びアース端子２２の３つの端子群から構成し、また前記第３の出力端子３をＬチャンネル信号出力端子３１、Ｒチャンネル信号出力端子３３及びアース端子３２の３つの端子群から構成されたステレオ信号出力端子とし、前記第１の接続端子２のＬチャンネル信号出力端子２１及びＲチャンネル信号出力端子２３からの音声信号を合成してモノラル信号とし、当該モノラル信号が前記第３の接続端子３の一方のチャンネル信号出力端子（例えば、３１）へ供給されるようにし、さらに、前記第２の接続端子４をマイク音声信号入力端子４１、イヤホンモノラル音声信号出力端子４３及びアースの端子４２の３つの端子群から構成し、当該イヤホンモノラル音声信号出力端子４３からの音声信号が前記第３の接続端子３の他方のチャンネル信号出力端子（例えば、３３）へ供給されるように構成することが好ましい。
【００２３】
このように構成することにより、出力側装置の音声信号を、第３の接続端子に接続された聴取装置で、一方のチャンネルからモニターすることができ、また入力側装置からの確認音を他のチャンネルからモニターすることができるため、録音の失敗を未然に防止することができる。
【００２４】
また、前記第１の接続端子の前記Ｌチャンネル信号出力からの経路及び前記Ｒチャンネル信号出力からの経路には、逆電流防止用のダイオードが設けられていることが好ましい。これにより、誤接続により生じる発振等を防止することができる。
【００２５】
また、前記第１の接続端子の前記Ｌチャンネル信号出力端子及びＲチャンネル信号出力端子と、前記第２の接続端子のマイク音声信号入力端子との間に、インピーダンスマッチング抵抗を備えていることが好ましい。これにより、歪みの少ない高音質の録音が可能となる。
【００２６】
また、本発明に係る携帯電話機の着信音の録音方法は、ヘッドホン出力端子を有する出力側装置の該ヘッドホン端子に接続される第１の接続端子と、イヤホン／マイク端子を有し、該イヤホン／マイク端子から入力された音声信号を記憶するとともに該記憶した音声信号を再生可能な携帯電話機の該イヤホン／マイク端子に接続される第２の接続端子と、前記第１の接続端子と前記第２の接続端子を接続するケーブルと、前記出力装置のヘッドホン出力端子から出力された音声信号及び／又は前記携帯電話機のイヤホン／マイク端子から出力された音声信号を聴取する聴取装置を接続可能な第３の接続端子とを有する録音用ケーブルを前記出力装置、前記携帯電話機、及び、前記聴取手段に接続するステップと、前記出力側装置からの音声信号を前記聴取手段からモニターしながら前記携帯電話機への音声信号の記憶開始及び記憶停止を操作するステップとを備えていることを特徴とする。
【００２７】
本発明の他の目的、構成及び効果は、以下の実施の形態及びその図面から明らかにされる。
【発明の効果】
【００２８】
本発明によれば、ユーザーは、出力側装置のステレオ音声信号から生成したモノラル信号をモニターしながら、録音レベルの調整を行ったり、着信音の録音の開始と停止のタイミングを計ることができる。
【００２９】
また、ユーザーは、入力側装置の録音の開始と停止の確認音も、同時にモニターすることができるため、録音の失敗を未然に防止することができる。
【００３０】
さらに、以上のような本発明を利用すれば、ユーザーの好みに合ったオリジナリティーのある着メロを無料で作成することが可能になる。
【発明を実施するための最良の形態】
【００３１】
以下、本発明の録音用ケーブルの好適な実施形態を、図面を参照しつつ説明する。
図１は、本発明に係る第1実施形態の録音用ケーブルの使用状態を示す説明図である。録音ケーブル１は、出力側装置である音源５１と入力側装置である携帯電話機５３間に使用される。この携帯電話機５３は、ボイスメモ録音機能と録音した音を着メロ（着信音）に設定する機能を有する。録音ケーブル１は、音源５１のヘッドホン出力端子５０（又は、イヤホン出力端子５０´）に接続される第１の接続端子２と、携帯電話機５３のイヤホン／マイク端子５４に接続される第２の接続端子４と、聴取装置５２が接続される第３の接続端子（聴取手段）３を備えている。これらの端子２，３，４はケーブル１０により接続されている。
【００３２】
ここで、出力側装置である音源５１は、音声信号の出力が可能な機器を広く含み、例えば、ＭＤプレーヤー、ＣＤプレーヤー、ラジオカセットレコーダー、テレビ、ビデオデッキ、パソコン等を利用することができる。また、出力側装置である音源５１として、マイクを用い、マイクを通じて直接音声を録音することもできる。さらに、携帯電話機を出力側装置として用い、それに記録されている着メロをイヤホン出力端子を介して音声信号として出力することもできる。一方、入力側装置としては、携帯電話機５３の他、ＰＤＡ等の通信機能を備えた機器が広く含まれる。また、本発明において聴取装置５２としては、イヤホンやヘッドホンの他、スピーカーなど音声信号の再生を可能とする機器が広く含まれる。これらの装置は、ケーブル１０や第１又は第２の接続端子に直接接続してもよいし、コネクタやプラグを介して着脱自在に接続するようにしてもよい。
【００３３】
録音ケーブル１は、音源５１の音声信号を、携帯電話機５３のイヤホン／マイク端子５４へ伝達する。この音声信号は、第３の接続端子３に接続された聴取装置５２により、ユーザーがモニターすることができる。イヤホン／マイク端子５４を介して携帯電話機５３に入力された音声信号は、制御回路５６を経由し、アナログ／デジタル変換回路５７によりデジタル信号に変換された後、音声録音メモリ回路５８へ着信音（着メロ）として記憶される。
【００３４】
携帯電話機５３に着信があると、制御回路５６は、音声録音メモリ回路５８のデジタル信号をアナログ信号に変換させ、低周波増幅回路５９により増幅した後、スピーカー６０から着信音（着メロ）として再生する。
【００３５】
次に、図２を参照しつつ、第１実施形態に係る録音ケーブル１の構成について詳細に説明する。尚、図２に示すステレオプラグやステレオジャックの規格やサイズ等は一例である。これら規格やサイズ等は適宜選択され、あるいは、変換プラグやジャック等を用いることにより、広範な規格やサイズ等に適合できる。プラグやジャックの形状やサイズが合わない場合には、市販のアダプタケーブルやアダプタなどを利用することが好ましい。例えば、携帯電話側の端子の形状がＵＳＢ２タイプのものであれば、一方の先端に同タイプのコネクタが接続されたアダプタケーブルを用いればよい。
【００３６】
第１の接続端子２は、Ｌチャンネル信号出力端子２１、アース端子２２及びＲチャンネル信号出力端子２３の３つの端子群から構成されている。また、第２の接続端子４は、マイク音声信号入力端子４１、アース端子４２及びイヤホンモノラル音声信号出力端子４３の３つの端子群から構成されている。さらに、第３の接続端子３は、出力側モニター端子（Ｌチャンネル信号出力端子）３１、アース端子３２及び入力側モニター端子（Ｒチャンネル信号出力端子）３３の３つの端子群から構成されている。
【００３７】
この第３の接続端子３は、ステレオ信号出力端子（ステレオジャック）であり、聴取装置５２のステレオプラグに対応している。そして、出力側モニター端子３１は、ステレオジャックのＬチャンネル信号出力端子となっている。また、入力側モニター端子３３は、第３の接続端子３であるステレオジャックのＲチャンネル信号出力端子となっている。
【００３８】
Ｌチャンネル信号出力端子２１とＲチャンネル信号出力端子２３は、それぞれ導線１１と導線１３を経由して短絡した後、導線１７を経由してマイク音声信号入力端子４１へ、また、導線１９を経由して出力側モニター端子３１へ接続されている。
【００３９】
この経路において、導線１１と導線１３には、ダイオード１５、１６がそれぞれ設けられている。このダイオード１５、１６は、ユーザーが誤って、第１の接続端子２を入力側装置である携帯電話等に接続した場合、イヤホン／マイク端子５４のマイク端子とイヤホンモノラル信号出力端子が短絡することによって生じる発振等を防止するために設けられている。
【００４０】
この経路において、導線１１と導線１３が短絡され、出力側装置のＬチャンネル信号とＲチャンネル信号が合成され、モノラル信号が生成される。さらに、経路（導線）１７には、出力側装置の出力インピーダンスと入力側装置の入力インピーダンスをマッチングさせるためのインピーダンスマッチング抵抗１８が設けられている。
【００４１】
第１の接続端子２のアース端子２２、第２の接続端子４のアース端子４２、第３の接続端子３のアース端子３２は、導線１２によって接続されている。
【００４２】
第２の接続端子４のイヤホンモノラル音声信号出力端子４３は、導線１４を経由して、第３の接続端子３の入力側モニター端子３３に接続されている。
【００４３】
次に、本発明に係る第1実施形態の作用を詳細に説明する。録音ケーブル１を上記の図１に示すように接続し、出力側装置である音源５１の再生を開始する。この音声信号はステレオ信号として出力されるが、第１の接続端子２のＬチャンネル信号出力端子２１とＲチャンネル信号出力端子２３は、それぞれ導線１１と導線１３を経由して短絡され、それらの端子から入力された信号がモノラル信号に変換される。
【００４４】
このモノラル信号は、インピーダンスマッチング抵抗１８を備えた導線１７を経由して、第２の接続端子４が接続されたマイク音声信号入力端子４１へ送られ、同時に、導線１９を経由して第３の接続端子３の出力側モニター端子３１へ送られる。
【００４５】
上述したように、第３の接続端子３の出力側モニター端子３１は、聴取装置５２のステレオプラグに対応しているステレオ信号出力端子（ステレオジャック）のＬチャンネル信号出力端子となっているため、このモノラル信号は、聴取装置５２のＬチャンネル音声として、ユーザーに聴取される。
【００４６】
ユーザーは、聴取装置５２のＬチャンネル音声を聞きながら、録音レベルの調整を行ったり、録音開始のタイミングを計ることができる。そして、ユーザーが入力側装置である携帯電話機５３の所定のキーを操作すると録音が開始される。この録音開始の操作により、制御回路５６は録音開始をユーザーに知らせるための確認音を第２の接続端子４のイヤホンモノラル音声信号出力端子４３へ出力する。
【００４７】
上述したように、第３の接続端子３の入力側モニター端子３３が、聴取装置５２が接続されているステレオジャックのＲチャンネル信号出力端子となっているため、この録音開始の確認音は、聴取装置５２のＲチャンネル音声（信号音）として、ユーザーに聴取される。
【００４８】
ユーザーは、さらに、聴取装置５２のＬチャンネル音声を聞きながら、録音停止のタイミングを計り、携帯電話機５３の所定のキーを操作すると録音が停止される。この停止操作により、制御回路５６が発生した確認音は、聴取装置５２のＲチャンネル音声として、ユーザーに聴取される。尚、第３の接続端子３は、他の録音装置（ＭＤレコーダー、カセットレコーダー等）への録音用ジャックとしても利用することができる。
【００４９】
次に、図３を参照しつつ、本発明に係る第２実施形態の録音ケーブル７について説明する。尚、第２実施形態及び後述する第３実施形態において、用途や機能等が同様の部材に関しては、第１実施形態において使用した参照番号を使用する。
【００５０】
第２実施形態の録音ケーブル７は、携帯電話機から携帯電話機へ着信音（着メロ）を録音する場合に用いられる。第１の接続端子８は、マイク音声信号入力端子２４、アース端子２２及びイヤホンモノラル音声信号出力端子２６の３つの端子群から構成されている。この第１の接続端子８のマイク音声信号入力端子２４には配線がなされておらず使用しない。
【００５１】
第２の接続端子４は、マイク音声信号入力端子４１、アース端子４２、イヤホンモノラル音声信号出力端子４３の３つの端子群から構成されている。また、第３の接続端子３は、出力側モニター端子３１、アース端子３２及び入力側モニター端子３３の３つの端子群から構成されている。
【００５２】
この第２実施形態の録音ケーブル７は、出力側装置である携帯電話機のイヤホンモノラル音声出力を、導線１３、ダイオード１６、導線１７、インピーダンスマッチング抵抗１８を経由して入力側装置である携帯電話機のマイク音声信号入力へ接続する。本実施形態は、出力側装置がモノラル音声出力である場合に適合し、第１実施形態におけるダイオード１５を必要としないシンプルな構成とすることが可能である。例えば、ある携帯電話に既に録音されている着メロを他の携帯電話に録音する場合等で好適である。
【００５３】
尚、本実施形態において、第１の接続端子８は、携帯電話機等の入出力端子に適合する２．５ｍｍステレオスーパーミニプラグであることが好ましい。
【００５４】
次に、本発明に係る第３実施形態を、図４を参照しつつ説明する。本実施形態の録音ケーブル９は、第１実施形態の録音ケーブル１と第２実施形態の録音ケーブル７とが備えている両機能を単一のケーブルで実現するものである。
【００５５】
本実施形態の録音ケーブル９の全体構成は、第１実施形態の録音ケーブル１と同様であるが、この録音ケーブル９では、導線１１にステレオ／モノラル切り換え用のスイッチ２０が設けられている。
【００５６】
本実施形態においては、スイッチ２０の開閉により、出力側装置がステレオ音声出力である場合と、モノラル音声出力の場合とに対応することができる。出力側装置がステレオ音声出力である場合には、利用者はスイッチ２０をＯＮにする。この場合、録音ケーブル９の全体構成は、第１実施形態のケーブル１と同様の構成となる。
【００５７】
一方、出力側装置がモノラル音声出力である場合には、利用者はスイッチ２０をＯＦＦにする。この場合、録音ケーブル９の全体構成は、第２実施形態のケーブル７と同様の構成となる。
【００５８】
尚、本実施形態において、第１の接続端子２は、ＭＤプレーヤー等のステレオ出力端子に適合するステレオ用プラグ７０（３．５ｍｍステレオミニプラグ）であることが好ましい。また、スイッチ２０をＯＦＦとして携帯電話機等を出力側装置とする場合には、携帯電話機等の入出力端子に適合するモノラル用変換プラグ８０（２．５ｍｍステレオスーパーミニプラグアダプタ）を取付けることが好ましい。
【００５９】
以上の実施形態１〜３では、第３の出力端子３は、ケーブル１０の途中に接続された構成となっているが、この第３の出力端子３は、ケーブルの途中ではなく、第１または第２の出力端子２、４（８）と一体に設けることもできる。
【図面の簡単な説明】
【００６０】
【図１】本発明に係る第１実施形態の録音ケーブルの接続状態を示す説明図である。
【図２】図１に示す録音ケーブルの構成を示す説明図である。
【図３】本発明に係る第２実施形態の録音ケーブルの構成を示す説明図である。
【図４】本発明に係る第３実施形態の録音ケーブルの構成を示す説明図である。
【符号の説明】
【００６１】
１、７、９    録音ケーブル
２、８    第１の接続端子
３    第３の接続端子（聴取手段）
４    第２の接続端子
１０  ケーブル
１１、１２、１３、１４、１７、１９  導線
１５、１６  ダイオード
１８  インピーダンスマッチング抵抗
２０  スイッチ
２１  Ｌチャンネル信号出力端子
２２  アース端子
２３  Ｒチャンネル信号出力端子
２４  マイク音声信号入力端子
２６  イヤホンモノラル音声信号出力端子
３１  出力側モニター端子（Ｌチャンネル信号出力端子）
３２  アース端子
３３  入力側モニター端子（Ｒチャンネル信号出力端子）
４１  マイク音声信号入力端子
４２  アース端子
４３  イヤホンモノラル音声信号出力端子
５０  ヘッドホン出力端子
５０´  イヤホン出力端子
５１  音源（出力側装置）
５２  聴取装置
５３  携帯電話機（入力側装置）
５４  イヤホン／マイク端子
５６  制御回路
５７  アナログ／デジタル変換回路
５８  音声録音メモリ回路
５９  低周波増幅回路
６０  スピーカー
７０  ステレオ用プラグ
８０  モノラル用変換プラグ
【図１】
2005116133.tif 000003
【図２】
2005116133.tif 000004
【図３】
2005116133.tif 000005
【図４】
2005116133.tif 000006